(57)【特許請求の範囲】
【請求項１】
天板に設置される仕切パネルの一側端に設けた側面視が略コ状の切欠き部の前記天板の下面側に位置する下辺部の前記天板の側に配置され、前記下辺部を挟むように形成される第１固定部及び第２固定部を含む固定部と、
前記固定部の下方に配置され、前記下辺部を把持する一対の第１脚部及び第２脚部を含む脚部と、
前記第１固定部及び前記第２固定部に下方から前記天板の方向に進退可能にそれぞれ螺装され、前記天板の下面に先端側を圧接させることにより前記略コ状の切欠き部の上位内面を前記天板の上面に圧接させて前記仕切パネルを前記天板に固定する第１締緩部材及び第２締緩部材を含む締緩部材と、
を備える仕切パネル用の固定具。
【請求項２】
前記脚部は、
前記下辺部を係止する第３締緩部材をさらに備える請求項１に記載の仕切パネル用の固定具。
【請求項３】
前記固定部は、
一対の前記脚部の間に前記下辺部に設けられる係合凸部と係合する係合凹部を備える請求項２に記載の仕切パネル用の固定具。
【請求項４】
前記脚部は、
高さ方向の長さが、前記下辺部の長さに対応する長さを有し、
前記第３締緩部材は、
一対の前記脚部のうち一方に高さ方向に間隔をあけて複数設けられる請求項２又は３に記載の仕切パネル用の固定具。
【請求項５】
前記脚部は、水平断面が略コ字状に形成される請求項２から請求項４までのいずれかに記載の仕切パネル用の固定具。
【請求項６】
前記締緩部材と前記天板の下面との間に、高さ方向に移動可能に前記固定部にガイドされる当接板をさらに備える請求項１から請求項５までのいずれか１項に記載の仕切パネル用の固定具。
【発明の詳細な説明】
【技術分野】
【０００１】
本発明は、金融機関や公共施設等で使用されるカウンターやデスク等の天板上を仕切る仕切パネルを天板に固定する仕切パネル用の固定具に関するものである。
【背景技術】
【０００２】
金融機関や公共施設等では、来訪者と接客者がカウンターやデスク等の天板を挟んで対面することが行われている。このようなカウンター等の天板では、複数の来訪者が隣り合ってそれぞれの接客者と対応することも多いが、来訪者相互のプライバシーなどの確保のため、天板上に仕切パネルを設置するようにしたものが知られている（例えば、特許文献１参照。）。
【０００３】
仕切パネルの下部の一側端すなわち来訪者側の側端には、天板の長手辺の側縁部が挿入される切欠き部が形成されている。仕切パネルにおける切欠き部の天板の上面側に位置する下面（仕切パネルの下面）には、仕切パネルの下面から突出して天板上面に当接する当接板が設けられている。当接板は、仕切パネルの下面の幅（厚さ方向（左右）の長さ）より狭い幅の細長の板状に形成され、かつ、仕切パネルの下面からの突出長さが調節可能に取り付けられている。この当接板を天板上面に当接させる、すなわち、当接板を天板上面に押し付けると、仕切パネルの下辺部の上面が天板下面に押し付けられて、この当接板と下辺部の上面との挟持力により仕切パネルが天板に固定される。
【先行技術文献】
【特許文献】
【０００４】
【特許文献１】特開２００９−２７９０３５号公報
【発明の概要】
【発明が解決しようとする課題】
【０００５】
ところで、特許文献１に記載されている仕切パネルは、仕切パネルの下面に設けた当接板を天板上面に押し付けて、この当接板と下辺部の上面との挟持力により天板に固定されるが、しかし、仕切パネルを挟持力によって天板に固定するための当接板と下辺部の上面の左右の幅が狭い、特に当接板の左右の幅は仕切パネルの下面の幅より狭いので、仕切パネル（特に来訪者側の端部）が左右に振れるという問題があった。
本発明が解決しようとする課題は、仕切パネルの左右の振れを抑制することができる仕切パネル用の固定具を提供することにある。
【課題を解決するための手段】
【０００６】
前記課題を解決するため、本発明に係る仕切パネル用の固定具は、天板に設置される仕切パネルの一側端に設けた側面視が略コ状の切欠き部の前記天板の下面側に位置する下辺部の前記天板の側に配置され、前記下辺部を挟むように形成される第１固定部及び第２固定部を含む固定部と、前記固定部の下方に配置され、前記下辺部を把持する一対の第１脚部及び第２脚部を含む脚部と、前記第１固定部及び前記第２固定部に下方から前記天板の方向に進退可能にそれぞれ螺装され、前記天板の下面に先端側を圧接させることにより前記略コ状の切欠き部の上位内面を前記天板の上面に圧接させて前記仕切パネルを前記天板に固定する第１締緩部材及び第２締緩部材を含む締緩部材と、を備える。
【０００７】
これにより、仕切パネルの切欠き部側の端部に第２固定部から第１固定部方向に力が作用すると、この力は、下辺部に固定された固定具本体の箇所から第１固定部を介して第１締緩部材に伝わり第１締緩部材の先端の天板の下面への押し付け力となる。この第１締緩部材は、第２固定部とで下辺部を挟むように形成されていることで下辺部の表面から突出するように設けられた第１固定部に取り付けられているので、仕切パネルの切欠き部側の端部が第２固定部から第１固定部方向に横振れすることが抑制される。また、仕切パネルの切欠き部側の端部に第１固定部から第２固定部方向に力が作用すると、この力は、下辺部に固定された固定具本体の箇所から第２固定部を介して第２締緩部材に伝わり第２締緩部材の先端の天板の下面への押し付け力となる。この第２締緩部材は、第１固定部とで下辺部を挟むように形成されていることで下辺部の表面から突出するように設けられた第２固定部に取り付けられているので、仕切パネルの切欠き部側の端部が第１固定部から第２固定部方向に横振れすることが抑制される。従って、仕切パネルの左右のぶれが抑制されることになる。
また、固定具本体の天板への固定は、第１締緩部材及び第２締緩部材を第１固定部及び第２固定部からそれぞれ突出させて先端を天板下面に圧接させることによって、コ状切欠き部の上位内面を天板上面に圧接させることにより行われるので、同じ厚さの天板だけでなく、仕切パネルの下面と第１締緩部材及び第２締緩部材との間に位置させられ、かつ、第１締緩部材及び第２締緩部材を突出させて固定具本体の天板への固定を行える厚さであれば異なる厚さの天板に固定具本体を固定することができ、汎用性に富んだものとなる。
【０００８】
この場合において、前記脚部は、前記下辺部を係止する第３締緩部材をさらに備えることにより、前記脚部を前記仕切パネルの前記下辺部に固定することができる。
【０００９】
また、この場合において、下辺部の上面及び載置部の一方に、係合凸部を設け、下辺部の上面及び載置部の残りの他方に、係合凸部に係合する係合凹部を設けることができる。さらに、脚部（以下、第１脚部と第２脚部を脚部という。）の高さ方向の長さを、脚部の下端の位置が下辺部の下端と同じ位置かその近傍に位置される寸法で形成し、第３締緩部材を、第１脚部と第２脚部のうちの一方の脚部の高さ方向に間隔をあけて複数設け、これら第３締緩部材の少なくとも１つを第１脚部と第２脚部のうちの一方の脚部の下端部寄りに位置することができる。
【００１０】
また、この場合において、脚部を、平面から見て両脚部と連結部が水平断面略コ字状に形成されてなることができる。さらに、第１締緩部材及び第２締緩部材締緩部材と天板の下面との間に、高さ方向にのみ移動可能に固定具本体にガイドされる当接板を設けることができる。
【発明の効果】
【００１１】
本発明によれば、仕切パネルの左右の振れを抑制することができ、かつ、汎用性に富む仕切パネル用の固定具を提供することができる。
【図面の簡単な説明】
【００１２】
【図１】本発明に係る一実施形態の仕切パネル用の固定具により仕切パネルが固定された状態を示す概略斜視図である。
【図２】本実施形態の仕切パネル用の固定具により仕切パネルが固定された状態を示す概略斜視図である。
【図３】本実施形態の仕切パネル用の固定具により仕切パネルが固定された状態を示す概略斜視図である。
【図４】本実施形態の仕切パネル用の固定具の一例を示す図で、（ａ）は背面図、（ｂ）は側面図である。
【図５】本実施形態の仕切パネル用の固定具に用いられる固定具本体の一例を示す図で、（ａ）は正面図、（ｂ）は平面図、（ｃ）は背面図、（ｄ）は（ｃ）中のＡ−Ａ線矢視断面図である。
【図６】本実施形態の仕切パネル用の固定具に用いられる当接板の一例を示す図で、（ａ）は正面図、（ｂ）は平面図、（ｃ）は側面図である。
【図７】本実施形態の仕切パネル用の固定具により固定される仕切パネルの一例を示す側面図である。
【図８】本実施形態の仕切パネル用の固定具により固定される仕切パネルの他の例を示す側面図である。
【発明を実施するための形態】
【００１３】
以下、本発明に係る仕切パネル用の固定具の一実施形態を添付図面に基づいて説明する。図１〜図３に示すように、本実施形態の仕切パネル用の固定具１は、金融機関や公共施設等で使用されるカウンターやデスク等の天板１０上を仕切る板状の仕切パネル１１を天板１０に固定するものである。仕切パネル１１は、一方の端部１１ａの下部の一側端に設けられた側面視が略コ状の切欠き部１４に天板１０の長手辺の一側縁部を上下から挟む態様で当該天板１０上に載置されて天板１０上を仕切るものであれば、特に限定されず、来訪者と接客者とが椅子に掛けて対面するローカウンターや両者が立姿勢で対面するハイカウンター等に用いられるものがある。
【００１４】
仕切パネル１１としては、具体的には例えば、図１及び図７に示すように、ローカウンターに用いられるものがあり、その天板１０の上面１０ａの天板１０の前後方向（来訪者と接客者とが対面する方向）の全域や一部に下面１１ｃが接触し、この一方の端部１１ａ（来訪者側の端部）に切欠き部１４が設けられているものである。この仕切パネル１１の他方の端部１１ｂには、仕切パネル１１の他方の端部１１ｂを天板１０の上面１０ａ上に押し付けて固定する固定具２０が係合する係合部１２が設けられている。
【００１５】
また、仕切パネルとしては、具体的には例えば、図１及び図８に示すように、ハイカウンターに用いられるものもある。ハイカウンターは、ローカウンターの天板１０上にハイカウンターの天板（以下、ハイ天板１６ということがある。）と天板１０の一方の端部１０ｃ寄りに接客者側を覆うように立設された前板１７とを有するハイカウンターユニット１８を設けたものである。ハイカウンターに用いられる仕切パネル１５は、ハイ天板１６、前板１７及び天板１０（前板より接客側の天板１０）の前後方向の全域に接触するように下面がクランク状に形成され、この一方の端部（来訪者側（天板１０側）の端部）に切欠き部１４が設けられている。仕切パネル１５の他方の端部には、仕切パネル１５の他方の端部をハイ天板１６の上面上に押し付けて固定する固定具が係合する係合部１９が設けられている。このハイカウンターに用いられる仕切パネル１５の一方の端部も本実施形態の仕切パネル用の固定具１を用いて天板１０に固定することができるが、本実施形態では、仕切パネルとして、ローカウンターに用いられる仕切パネル１１を用いて説明するが、これに限定されるものではない。
【００１６】
固定具１は、図２〜図５に示すように、仕切パネル１１における切欠き部１４の天板１０の下面１０ｂ側に位置する下辺部１３に固定される部位が正面視大略Ｔ状をなす固定辺を有して形成された固定具本体２と、固定具本体２の固定辺に含まれる横向き部位に下辺部１３を挟むように形成された第１固定部２１と第２固定部２２と、第１固定部２２及び第２固定部２１に下方から縦向きに螺装し進退可能に設けた第１締緩部材３と第２締緩部材４とを備えている。なお、本発明における正面視大略Ｔ状をなす固定辺とは、固定具本体２を天板１０及び下辺部１３に固定する箇所が正面視大略Ｔ状に形成されていることであり、固定具本体２の全体の形状を特定するものではない。
【００１７】
固定具本体２を下辺部１３に固定する固定手段は、その構造は特に限定されず、例えば、螺合部材を下辺部１３に螺合させて螺合部材の締め付けにより行うようにしてもよいが、固定具本体２におけるＴ状の固定辺に含まれる縦向き部位に、第１固定部２１及び第２固定部２２から下方に向けてコ状切欠き部１４の下辺部１３を含む位置に、固定辺を含む第１脚部２３と第２脚部２４とを連設し、これら脚部の一方又は両方の脚部、例えば、第１脚部２３に、下辺部１３の側面に接触する接触面２７を設け、例えば、残りの他方の脚部である第２脚部２４に、第２脚部２４から進退する第３締緩部材５を横向きに螺装して、第３締緩部材５を第２脚部２４から進出させて第３締緩部材５の先端を下辺部１３の一方の側面に圧接させていることにより、下辺部１３の他方の側面を第１脚部２３の接触面２７に圧接させて固定具本体２を下辺部１３に固定するようにすることが好ましい。
【００１８】
第３締緩部材５としては、特に限定されないが、例えば、第２脚部２４のネジ穴２４ｂに螺合するとともに先端が下辺部１３の側面に当接し、かつ、第２脚部２４に対してＬ型の角レンチ等の工具、例えば、Ｌ型の六角レンチ７により回転させ得る角レンチ穴付螺合部材が用いられる。第３締緩部材５の先端面は、第３締緩部材５が延びる方向に対して直交する面に平行な平面に形成されていることが好ましい。
【００１９】
固定具本体２の第１固定部２１と第２固定部２２との間には、コ状切欠き部１４の上面である下辺部１３の上面１３ａ（図７参照。）に載置される載置部２５が設けられている。すなわち、載置部２５の両側には、下辺部１３の側面に対して直交する方向に延びる第１固定部２１及び第２固定部２２が一体に設けられている。第１固定部２１、載置部２５及び第２固定部２２は、細長の扁平の略直方体状に形成されている。
【００２０】
第１固定部２１及び第２固定部２２の基部（載置部２５側の端部）には、第１脚部２３及び第２脚部２４の上端が一体に連接されている。すなわち、第１固定部２１と第１脚部２３とが略Ｌ字状に一体に形成され、かつ、第２固定部２２と第２脚部２４とが略Ｌ字状に一体に形成されている。なお、第１固定部２１と第１脚部２３、及び第２固定部２２と第２脚部２４は、それぞれ略Ｌ字状に一体に形成されていることが好ましいが、これに限定されず、それぞれ三角状や矩形状等その他の形状で一体に形成してもよい。
【００２１】
第１脚部２３及び第２脚部２４は、第１固定部２１の幅と略同じ幅の板状であって、間隔をあけて互いに対向するように形成されている。第１脚部２３と第２脚部２４との間隔は、仕切パネル１１の下辺部１３の厚さより厚い寸法、例えば、少し厚い寸法で形成されていることが好ましい。第１脚部２３及び第２脚部２４の外表面（互いに対向する表面と反対側の表面）の両側部側には、それぞれ表面から突出するリブ２３ａ、２４ａが設けられている。すなわち、第１脚部２３及び第２脚部２４は、水平断面略凹状に形成されている。このようにリブ２３ａ、２４ａを設けることにより、第１脚部２３及び第２脚部２４の各強度が高くなるようになっている。
【００２２】
第１脚部２３及び第２脚部２４の側端部のうち天板１０の長手辺の一側縁部である端部１０ｃと反対側の側端部は、連結部２６によって連結されている。なお、第１脚部２３及び第２脚部２４は、連結部２６によって連結されていなくてもよいが、連結部２６によって連結されていることが好ましい。これにより、第１脚部２３、連結部２６及び第２脚部２４は、水平断面略コ字状に一体に形成され、第１脚部２３及び第２脚部２４の各強度が高くなるようになっている。また、連結部２６の上端は、載置部２５に連接されている。これによって、第１固定部２１、載置部２５、第２固定部２２、第１脚部２３、第２脚部２４及び連結部２６が一体に形成され、略Ｔ状の固定具本体２が構成されている。なお、固定具本体２の形状は、略Ｔ状に限定されず、略逆三角形状、矩形状等その他の形状で形成してもよい。この固定具本体２は、例えば、アルミダイカスト等を用いて成形される。この固定具本体２の第１脚部２３と第２脚部２４との間に仕切パネル１１の下辺部１３の先端部を挿入するように位置させ、下辺部１３の先端面を連結部２６に接触又は近接させた状態で載置部２５を下辺部１３の上面１３ａに載置するか又は近接させ例えば載置し、第３締緩部材５を第２脚部２４から突出させて第３締緩部材５の先端を下辺部１３の側面に当接させ、下辺部１３を第１脚部２３の接触面２７に押し付ける。これによって、下辺部１３の側面に接触した第１脚部２３の接触面２７と第３締緩部材５との挟持力により固定具本体２が仕切パネル１１の下辺部１３に固定されるようになっている。
【００２３】
第１脚部２３及び第２脚部２４の高さ方向の長さは、固定具本体２を下辺部１３に固定するとともに、仕切パネル１１の一方の端部１１ａの左右の振れを抑制することができるならば特に限定されず、例えば、固定具本体２を下辺部１３に固定したときに、第１脚部２３及び第２脚部２４の下端の位置が下辺部１３の略中央の位置から下方に位置される寸法で形成されていることが好ましく、特に、下辺部１３の下端と同じ位置かその近傍に位置される寸法で形成されていることが好ましい。また、第３締緩部材５の個数及び位置は、固定具本体２を下辺部１３に固定するとともに、仕切パネル１１の一方の端部１１ａの左右の振れを抑制することができるならば特に限定されず、複数例えば図示例では２個で、少なくとも１つが第２脚部２４の下端部寄りに位置されていることが好ましい。
【００２４】
第１固定部２１及び第２固定部２２には、第１締緩部材３及び第２締緩部材４が螺装されている。第１締緩部材３及び第２締緩部材４は、第１固定部２１及び第２固定部２２からの突出長さがそれぞれ個別に調節可能すなわち進退可能で、先端を天板１０の下面１０ｂに圧接することにより、仕切パネル１１のコ状切欠き部の上位内面である下面１１ｃを天板１０の下面１０ｂに圧接させて仕切パネル１１を天板１０に固定するものである。第１締緩部材３及び第２締緩部材４としては、特に限定されないが、例えば、第１固定部２１の頭部収容部を有するネジ穴２１ａ及び第２固定部２２の頭部収容部を有するネジ穴２２ａに螺合するとともに先端が天板１０の下面１０ｂの表面に（本実施形態では当接板６を介して）当接し、かつ、第１固定部２１及び第２固定部２２に対して工具、例えば、第３締緩部材５に用いたものと同じＬ型の六角レンチ７により回転させ得る頭部に角レンチ穴が設けられた螺合部材がそれぞれ用いられる。第１締緩部材３及び第２締緩部材４の先端面は、第１締緩部材３及び第２締緩部材４が延びる方向に対して直交する面に平行な平面にそれぞれ形成されていることが好ましい。
【００２５】
第１締緩部材３及び第２締緩部材４の個数は、それぞれ１つでも複数でもよく、例えば、１つである。第１締緩部材３及び第２締緩部材４は、例えば、第１固定部２１及び第２固定部２２の先端部寄りに取り付けられている。仕切パネル１１の下辺部１３に固定具本体２を固定した後に、第１締緩部材３及び第２締緩部材４を第１固定部２１及び第２固定部２２から進出させて第１締緩部材３及び第２締緩部材４の先端を天板１０の下面１０ｂにそれぞれ圧接させ、天板１０上の仕切パネル１１の下面１１ｃを天板１０の上面１０ａに押し付けて天板１０上の仕切パネル１１の下面１１ｃを天板１０の上面１０ａに圧接することによって、仕切パネル１１のコ状切欠き部の上位内面である下面１１ｃが天板１０の下面１０ｂに圧接されて、固定具本体２が天板１０に固定されるようになっている。
【００２６】
また、第１脚部２３と第１固定部２１とが略Ｌ字状に形成されていることにより、下辺部１３に作用する第２脚部２４から第１脚部２３方向への力が、第１脚部２３から第１固定部２１を介して第１締緩部材３に伝わり第１締緩部材３の先端の天板１０の下面１０ｂへの押し付け力となるようになっている。また、第２脚部２４と第２固定部２２とが略Ｌ字状に形成されていることにより、下辺部１３に作用する第１脚部２３から第２脚部２４方向への力が、第２脚部２４から第２固定部２２を介して第２締緩部材４に伝わり第２締緩部材４の先端の天板１０の下面１０ｂへの押し付け力となるようになっている。なお、第１固定部２１及び第２固定部２２の長手方向（延在方向）の長さ及び第１締緩部材３及び第２締緩部材４の取付位置は、固定具本体２を天板１０に固定するとともに、仕切パネル１１の一方の端部１１ａの左右の振れを抑制することができるならば特に限定されず、任意に設定される。
【００２７】
さらに、仕切パネル１１の下辺部１３と固定具本体２とは係合手段８によって互いに係合して固定具本体２の第１脚部２３と第２脚部２４と間から下辺部１３が抜け難くなっていることが好ましい。係合手段８としては、その構成は特に限定されないが、例えば、係合凸部８１と係合凹部８２を用いることが好ましい。係合凸部８１は、例えば、載置部２５の下辺部１３の上面１３ａに接する載置面２５ａに設けられている。係合凸部８１は、断面略台形状で第１固定部２１及び第２固定部２２の長手方向に延び、かつ、中央より連結部２６とは反対側の端部寄りの載置面２５ａに形成されている。係合凸部８１と係合する係合凹部８２は、下辺部１３の上面１３ａであって下辺部１３の上面１３ａに載置部２５を載置したとき係合凸部８１に対応する位置に設けられている（図７及び図８参照。）。係合凹部８２は、下辺部１３の厚さ方向全体に設けられている。なお、載置部２５に係合凸部８１を設けるとともに下辺部１３に係合凹部８２を設けたが、載置部２５に係合凹部を設けるとともに下辺部１３に係合凸部を設けるようにしてもよい。
【００２８】
第１締緩部材３及び第２締緩部材４と天板１０の下面１０ｂとの間には、例えば、鋼板
等を折り曲げて形成された例えば１枚の当接板６が設けられていることが好ましい。当接板６は、図４及び図６に示すように、第１固定部２１、載置部２５及び第２固定部２２からなる固定具本体２の上面２ａの細長の矩形状と略同じ矩形平板状の当接部６１と、当接部６１の両側（第１固定部２１及び第２固定部２２の延びる方向に平行な端部）が下方に直角に折り曲げられてなる両側部６２とからコ字状に形成されている。両側部６２の長手方向の長さは、第１固定部２１、載置部２５及び第２固定部２２の長手方向の長さより短い寸法で形成されている。両側部６２の高さ方向の長さは、第１固定部２１及び第２固定部２２の高さ方向の長さより長い寸法で形成されている。これにより、当接板６の当接部６１で固定具本体２の上面を覆うとともに当接板６の両側部６２で第１固定部２１、載置部２５及び第２固定部２２の両側部を覆うようになっている。また、第１固定部２１及び第２固定部２２の両側部の先端部近傍には、当接板６を高さ方向にのみ移動可能にガイドするガイド部２９がそれぞれ突出して設けられている。なお、当接板６は、第１締緩部材３及び第２締緩部材４と天板１０の下面１０ｂとの間に１枚設けたが、これに限定されず、第１締緩部材３及び第２締緩部材４と天板１０の下面１０ｂとの各間に１枚ずつすなわち２枚設けるようにしてもよい。また、当接板６のガイドは、ガイド部２９に限定されず、他の構造や手段によって行うようにしてもよい。
【００２９】
当接板６の固定具本体２の連結部２６と反対側の側部（第１側部）６２には、当接板６を固定具本体２の上面２ａを覆うように固定具本体２に載置したとき、第１脚部２３、載置部２５及び第２脚部２４によって形成される空間に対応したすなわち第１脚部２３と第２脚部２４との間に下辺部１３を挿入するときに当接板６の側部６２が邪魔にならないようにするために矩形状のパネル用切欠き６３が設けられている。
また、固定具本体２の載置部２５の厚さ（高さ方向の長さ）は、固定具本体２を仕切パネル１１の下辺部１３に固定するとともに第１締緩部材３及び第２締緩部材４の押し付け力により固定具本体２を当接板６を介して天板１０に固定したとき、当接板６と固定具本体２の上面２ａとの間に六角レンチ７を挿入し得る長さ以上の隙間があくような寸法で形成されていることが好ましい。
【００３０】
固定具１は、図２、図４及び図５に示すように、第１締緩部材３、第２締緩部材４及び第３締緩部材５の締緩作業を行うＬ型の六角レンチ７を着脱可能に保持する工具保持部９をさらに備えていることが好ましい。工具保持部９は、例えば、六角レンチ７の短辺部７ａが挿入される挿入部９１と、固定具本体２の挿入部９１の下方で高さ方向に延びる保持部９３と、保持部９３上に設けられ、短辺部７ａの挿入部９１への挿入方向と反対方向へ移動するのを防止して六角レンチ７の挿入部９１からの脱落を抑制する脱落抑制部９２とを有している。
【００３１】
挿入部９１は、固定具本体２に設けてもよいが、固定具本体２の上面２ａと当接板６とで形成するようにしてもよい。すなわち、当接板６の第２側部（第１側部とは反対側の側部）６２には、当接板６を固定具本体２の上面２ａを覆うように固定具本体２に載置したとき、後述する保持部９３が挿入される矩形状の保持部用切欠き６４が設けられている。保持部用切欠き６４の中央部には、六角レンチ７の幅より若干長い幅を有する挿入部９１を形成するためのレンチ挿入用切欠き９４が高さ方向に延びて設けられている。これにより、固定具本体２を仕切パネル１１の下辺部１３に固定するとともに第１締緩部材３の押し付け力により固定具本体２を当接板６を介して天板１０に固定したとき、固定具本体２の上面２ａと当接板６のレンチ挿入用切欠き９４とで挿入部９１が形成されるようになっている。
【００３２】
保持部９３は、挿入部９１の下方であって固定具本体２の連結部２６の外表面及び載置部２５の表面（連結部２６の外表面に連なる表面）から突出して形成されている。保持部９３は、連結部２６の外表面の幅方向の中央に位置され、かつ、固定具本体２の上方近傍から連結部２６の下端までの位置に例えば六角レンチ７の幅の約３倍の幅を有して形成されている。この保持部９３上で例えば挿入部９１の近傍に脱落抑制部９２が設けられている。
【００３３】
脱落抑制部９２は、例えば、一方の固定部例えば第２固定部２２側が開口した水平断面Ｌ字状に形成されている。保持部９３の表面と対向する脱落抑制部９２の脱落抑制片９２ａは、挿入部９１の下方の一部を覆うように形成されている。すなわち、短辺部７ａが挿入部９１に挿入された六角レンチ７の長辺部７ｂが自重で下方に垂下したときに、脱落抑制片９２ａと保持部９３の表面との間に六角レンチ７の長辺部７ｂが位置されるように脱落抑制部９２が形成されている。脱落抑制片９２ａは、保持部９３の表面との間隔が六角レンチ７の幅より長い寸法例えば若干長い寸法をあけて形成されている。これにより、短辺部７ａが挿入部９１に挿入された六角レンチ７は、短辺部７ａが挿入部９１から抜ける方向に移動したときに、長辺部７ｂが脱落抑制片９２ａの内表面に当接して六角レンチ７（短辺部７ａ）が挿入部９１から脱落するのが抑制され、かつ、Ｌ型の六角レンチ７が着脱可能に保持されるようになっている。
【００３４】
脱落抑制部９２の基片９２ｂの内表面は、六角レンチ７の２辺が着座するような中央が凹んだ断面屈曲状に形成されていることが好ましい。また、保持部９３の脱落抑制部９２より下方の中央には、六角レンチ７の幅より若干大きな幅のレンチ挿入溝９５が脱落抑制部９２の下端まで設けられている。これにより、挿入部９１に短辺部７ａを挿入しかつ長辺部７ｂを脱落抑制部９２内に位置させた六角レンチ７が自重により長辺部７ｂの下方が保持部９３の表面側に移動（傾斜）してレンチ挿入溝９５に挿入されるようになっている（図２参照。）。
【００３５】
さて、この本実施形態の仕切パネル用の固定具１を用いて仕切パネル１１の一方の端部１１ａを天板１０に固定するには、まず、固定具本体２の第１脚部２３と第２脚部２４との間に仕切パネル１１の下辺部１３の先端部が挿入されるように例えば固定具本体２を移動させ、下辺部１３の先端面を連結部２６の内表面に接触又は近接させた状態で載置部２５を下辺部１３の上面１３ａに載置する。このとき、載置部２５の係合凸部８１と下辺部１３の係合凹部８２とが係合するようになっている。この状態のまま、六角レンチ７により第３締緩部材５を第２脚部２４に対して回転させて第２脚部２４から進出させ、第３締緩部材５の先端を下辺部１３の側面に圧接させて下辺部１３を第１脚部２３の接触面２７に押し付ける。すなわち、第３締緩部材５による締付作業を行う。これにより、固定具本体２が下辺部１３に固定される。
【００３６】
次に、下辺部１３に固定された固定具本体２の上方に当接板６を被せ、この当接板６と仕切パネル１１の下面１１ｃとの間（切欠き部１４）に天板１０の一方の端部１０ｃが挿入されるように仕切パネル１１を移動させつつこの仕切パネル１１の位置を所望の位置に位置決めする。仕切パネル１１の位置決め後、六角レンチ７により第１締緩部材３及び第２締緩部材４をそれぞれ個別に第１固定部２１及び第２固定部２２に対して回転させて第１固定部２１及び第２固定部２２から進出させ、第１締緩部材３及び第２締緩部材４の先端で当接板６を押し上げて当接板６を天板１０の下面１０ｂに圧接させる。その結果、天板１０に対して固定具本体２を介して下辺部１３が下方に押し下げられる。すなわち、天板１０上の仕切パネル１１の下面１１ｃが天板１０の上面１０ａに圧接される。これにより、仕切パネル１１のコ状切欠き部の上位内面である下面１１ｃが天板１０の下面１０ｂに圧接されて、固定具本体２が天板１０に固定される。さらに、仕切パネル１１の他方の端部１１ｂを固定具２０を用いて天板１０に固定する。
【００３７】
これによって、仕切パネル１１が天板１０の所望の位置に固定される。この仕切パネル１１の一方の端部１１ａに第２固定部２２から第１固定部２１方向へ力が作用すると、この力は、第１脚部２３と第１固定部２１とがＬ字状に一体に形成されているので、第１脚部２３から第１固定部２１を介して第１締緩部材３に伝わり第１締緩部材３の先端の当接板６を介する天板１０の下面１０ｂへの押し付け力となる。第１締緩部材３は、下辺部１３の表面から突出するように設けられた第１固定部２１材に取り付けられているので、仕切パネル１１の一方の端部１１ａが第２固定部２２から第１固定部２１方向へ振れることが抑制される。また、仕切パネル１１の一方の端部１１ａに第１固定部２１から第２固定部２２方向への力が作用すると、この力は、第２脚部２４と第２固定部２２とがＬ字状に一体に形成されているので、第２脚部２４から第２固定部２２を介して第２締緩部材４に伝わり第２締緩部材４の先端の当接板６を介する天板１０の下面１０ｂへの押し付け力となる。この第２締緩部材４は、下辺部１３の表面から突出するように設けられた第２固定部２２に取り付けられているので、仕切パネル１１の一方の端部１１ａが第１固定部２１から第２固定部２２方向へ振れることが抑制される。よって、仕切パネル１１の左右のぶれが抑制されることになる。
【００３８】
また、固定具本体２の天板１０への固定は、第１締緩部材３及び第２締緩部材４を第１固定部２１及び第２固定部２２からそれぞれ突出させて先端を当接板６を介して天板１０の下面１０ｂに当接させることによって、第１締緩部材３及び第２締緩部材４と仕切パネル１１の下面１１ｃとの挟持力により行われるので、同じ厚さの天板１０だけでなく、仕切パネル１１の下面１１ｃと第１締緩部材３及び第２締緩部材４との間に位置させられ、かつ、第１締緩部材３及び第２締緩部材４を進出させて固定具本体２の天板１０への固定を行える厚さであれば異なる厚さの天板１０に固定具１を固定することができ、汎用性に富んだものとなる。
【００３９】
したがって、本実施形態の仕切パネル用の固定具１は、仕切パネル１１の左右の振れを抑制することができ、かつ、汎用性に富んだものである。また、固定具１は、天板１０の下面１０ｂに固定されて天板１０上に設置されていないので、天板１０上の外観が良好である。
【００４０】
載置部２５の載置面２５ａに係合凸部８１が設けられているとともに、下辺部１３の上面１３ａに係合凸部８１に係合する係合凹部８２が設けられていることで、固定具１の第１脚部２３と第２脚部２４との間から下辺部１３が抜け難くなっているので、固定具１の仕切パネル１１の下辺部１３への固定を確実に行える。さらに、係合凸部８１が設けられている載置部２５は、係合凹部８２が設けられている下辺部１３の上面１３ａに第３締緩部材５によって押し下げられるので、一層固定具１の第１脚部２３と第２脚部２４との間から下辺部１３が抜け難くなっているので、固定具１の仕切パネル１１の下辺部１３への固定をより確実に行える。
【００４１】
固定具１の天板１０への固定は、第１締緩部材３及び第２締緩部材４の圧接により行われているので、第１締緩部材３及び第２締緩部材４の圧接力を弱めることで簡単に仕切パネル１１の位置を調節することができる。また、第１締緩部材３及び第２締緩部材４と天板１０の下面１０ｂとの間に、例えば１枚の当接板６を設けることで、天板１０の下面１０ｂへの圧接が当接板６の全体で行われるから、第１締緩部材３及び第２締緩部材４が直接天板１０に接触することによる締緩部材が天板１０に食い込んだりして締緩部材の押し付け力が弱くなることがない。また、当接板６は、固定具本体２にガイドされているので、仕切パネル１１を天板１０の所望の位置に位置決めするときや第１締緩部材３及び第２締緩部材４を回転させるときに、当接板６が固定具本体２と天板１０との間からずれることがない。
【００４２】
当接部６１の上面に摩擦係数が大きい滑り止め部材６５を設けることで、固定具１の天板１０への固定を当接板６が天板１０に対してずれることなく確実に行える。また、下辺部１３と対向する仕切パネル１１の下面１１ｃと天板１０の上面１０ａとの間、例えば、この下面１１ｃに摩擦係数が大きい滑り止め部材を設けるようにしてもよい。これにより、固定具１の天板１０への固定を当接板６が天板１０に対してずれることなく確実に行え、かつ、仕切パネル１１の一方の端部１１ａに左右方向の力が作用しても仕切パネル１１の下面１１ｃが天板１０の上面１０ａ上を滑りに難いので、仕切パネル１１の左右の振れを一層抑制することができる。
【００４３】
第１脚部２３及び第２脚部２４の高さ方向の長さが、第１脚部２３及び第２脚部２４の下端の位置が下辺部１３の下端と同じ位置かその近傍に位置される寸法で形成され、かつ、第３締緩部材５の少なくとも１つが第２脚部２４の下端部寄りに位置されていることで、仕切パネル１１の左右の振れを一層抑制することができる。
【符号の説明】
【００４４】
１  固定具
２  固定具本体
３  第１締緩部材
４  第２締緩部材
５  第３締緩部材
６  当接板
８  係合手段
１０  天板
１１  仕切パネル
１３  下辺部
１４  切欠き
２１  第１固定部
２２  第２固定部
２３  第１脚部
２４  第２脚部
２５  載置部
２６  連結部
２７  接触面
８１  係合凸部
８２  係合凹部
【図１】
0006055591.tif 000002
【図２】
0006055591.tif 000003
【図３】
0006055591.tif 000004
【図４】
0006055591.tif 000005
【図５】
0006055591.tif 000006
【図６】
0006055591.tif 000007
【図７】
0006055591.tif 000008
【図８】
0006055591.tif 000009